(57)【要約】【課題】大容量データ保存機能を有するＭＰ３プレーヤの再生機能を利用して、ＦＭ受信機能を有する車載受信機などで音楽を聴くことを可能とする。【解決手段】FMトランスミッタ１２と、外部の装置と連結されるUSBインターフェイス１３と、プロセッサユニット１１内の選択項目をコントロールするコントロールユニット１４と、該コントロールユニット１４内部の選択項目を表示するディスプレイユニット１５と、該外部装置のデータを保存するストレージユニット１６と、デコーディングユニット１７とを設け、これらを該プロセッサユニット１１に接続してデジタルのサウンドデータをデジタルシグナル化し、該デコーディングユニット１７と接続されるアナログデジタルトランスフォーマ１８で該デジタルシグナルをサウンドシグナルに変えて出力し、サウンドシグナルプレーヤ中１０のサウンドシグナルを、各ＦＭ受信機能を具有する設備により再生する。【選択図】        図１
0003102771.tif 000002
【実用新案登録請求の範囲】
【請求項１】
プロセッサユニットと、FMトランスミッタと、USBインターフェイスと、コントロールユニットと、ディスプレイユニットと、ストレージユニットと、デコーディングユニットと、アナログデジタルトランスフォーマと、からなる再生機能を具有するサウンドシグナルプレーヤであって、
サウンドシグナルプレーヤの演算中心となる該プロセッサユニットと、
該プロセッサユニットと電気的に接続され、低周波のチャンネルを送波する該FMトランスミッタと、
該プロセッサユニットと電気的に接続され、外部装置に連結される該USBインターフェイスと、
該プロセッサユニットと電気的に接続され、内部の選択項目をコントロールするコントロールユニットと、
該プロセッサユニットと電気的に接続され、該コントロールユニットで選択された内部の選択項目をディスプレイする該ディスプレイユニットと、
該プロセッサユニットと電気的に接続され、外部装置のデータを保存する該ストレージユニットと、
該プロセッサユニットと電気的に接続され、デジタルのサウンドシグナルデータに対してデコーディングを行い、デジタルシグナルに変えるものであり、且つMP3デコーダである該デコーディングユニットと、
該デコーディングユニットと電気的に接続され、該デコーディングユニットで処理された後のデジタルシグナルをサウンドシグナルに変えてアウトプットする該アナログデジタルトランスフォーマと、
とからなるものであることを特徴とする再生機能を具有するサウンドシグナルプレーヤ。
【請求項２】
該FMトランスミッタには一つ以上の低周波チャンネルが予め設定されることを特徴とする請求項１記載の再生機能を具有するサウンドシグナル放送装置。
【請求項３】
該ストレージユニットとプロセッサユニットとの間にはバッファが設けられることを特徴とする請求項１記載の再生機能を具有するサウンドシグナル放送装置。
【考案の詳細な説明】
【技術分野】
【０００１】
本考案は、再生機能を具有するサウンドシグナルプレーヤに係り、特にサウンドシグナルプレーヤ中のサウンドシグナルを、ＦＭ受信機能を具有する各種設備中で再生放送する装置に関わる。
【背景技術】
【０００２】
現在のMP3プレーやにおいては、内部のプロセッサ及びストレージ装置を利用し、サウンドデータの大量保存を行うものであり、大量の録音用のテープやディスクの代わりとなることから、使用に便利となっている。
【考案の開示】
【考案が解決しようとする課題】
【０００３】
しかし上述のようなMP3プレーヤは、イヤホン等を利用して音をアウトプットして聞くものであり、その他の音響設備と合わせて使用するものではないことから使用上にまだ多くの制約があり、完全に使用者の要求を満たせていない点が欠点となっている。
そこで上述の欠点に鑑み、音楽を聴く際における更なる便宜を図るべく本考案の再生機能を具有するサウンドシグナルプレーヤを提供する。
【課題を解決するための手段】
【０００４】
低周波のチャンネルを送波するべくプロセッサユニットに接続されるFMトランスミッタと、該プロセッサユニットと接続されて外部の装置と連結されるUSBインターフェイスと、該プロセッサユニットと接続されて該プロセッサユニット内の選択項目をコントロールするコントロールユニットと、該プロセッサユニットと接続されて該コントロールユニット内部の選択項目をディスプレイするディスプレイユニットと、該プロセッサユニットと接続されて該外部装置のデータを保存するストレージユニットと、該プロセッサユニットと接続されるデコーディングユニットと、を設け、デジタルのサウンドデータをデジタルシグナル化し、該デコーディングユニットと接続されるアナログデジタルトランスフォーマで該デジタルシグナルをサウンドシグナルに変えてアウトプットし、サウンドシグナル放送装置中のサウンドシグナルを、各FM受信機能を具有する設備中より音楽として再生放送する。
【考案の効果】
【０００５】
本考案によると、ＦＭ受信機能を具有する放送設備によってもMP3等に保存されたサウンドが放送できるようになり、実用性を更に高めるといった目的が達成された。
【考案を実施するための最良の形態】
【０００６】
図１，２，３に示すように、本考案の再生機能を具有するサウンドシグナルプレーヤ１０は、プロセッサユニット１１，FMトランスミッタ（放送装置）１２，USBインターフェイス１３，コントローラユニット１６，デコーディングユニット１７並びにアナログデジタルトランスフォーマ１８より構成され、該サウンドシグナルプレーヤ１０は、該FMトランスミッタ１２を利用して、該サウンドシグナルプレーヤ１０中のサウンドシグナルを各種ＦＭ受信機能を具有する設備２により再生放送するものである。
【０００７】
該プロセッサユニット１１はサウンドシグナルプレーヤ１０の演算を行う個所であり、該FMトランスミッタ１２は該プロセッサユニット１１と電気的に接続されて低周波のチャンネルを送波し、また該FMトランスミッタ１２は一つ以上（具体的には例えば４つ、８つ、或いは１６〜３２程）の低周波チャンネルが設けられるものとする。
該USBインターフェイス１３は上述のプロセッサユニット１１と電気的に接続され、外部の装置（図中なし）が外接されるようにする。
該コントローラユニット１４は、該プロセッサユニット１１と電気的に接続され、該プロセッサユニット１１内部の選択項目をコントロールし、該コントロールユニット１４は、対応する一つ以上のボタン１４１が設けられており、該一つ以上のボタン１４１は該サウンドシグナルプレーヤ１０の一表面上に配置されるものとする。
該ディスプレイユニット１５においては、該プロセッサユニット１１と電気的に接続され、該コントロールユニット１４が選択したプロセッサユニット１１内部の選択項目をディスプレイし、且つ該ディスプレイユニット１５は、該サウンドシグナルプレーヤ１０の一表面上に配置され、且つ該一つ以上のボタン１４１の位置に隣接して設けられるものとする。
該ストレージユニット１６においては、該プロセッサユニット１１と電気的に接続されて外部の装置のデータを保存するためのものであり、該ストレージ装置１６は、MP3のデータを保存するほか、MPEG４のファイルデータを保存する。また該ストレージユニット１６は該プロセッサユニット１１との間に更にバッファ１６１が設けられる。
該デコーディングユニット１７は、MP3デコーダであり、該プロセッサユニット１１と電気的に接続されており、且つ該デコーディングユニット１７は該デジタルサウンドシグナルに対し解読処理を行うことでシグナルをデジタル化する。
該アナログデジタルトランスフォーマ１８においては、該デコーディングユニット１７と電気的に接続され、該アナログデジタルトランスフォーマ１８は該デコーディングユニット１７が処理した後のデジタルシグナルをサウンドシグナルとしてアウトプットするものでである。
【０００８】
上述の構造により、全体が再生機能を具有するサウンドシグナルプレーヤが完成するが、本考案を使用する際には該サウンドシグナルプレーヤ１０表面上のボタン１４１により該コントロールユニット１４をコントロールし、該コントロールユニット１４が該プロセッサユニット１１によって該FMトランスミッタ１２中に予め設けられている低周波のチャンネルの内の一つを選択し、該チャンネルを該ディスプレイユニット１５中でディスプレイし、更にＦＭ受信機能を具有する設備２（本実施例では自動車のオーディオ設備を例とする）のチャンネルを調整することで、該ＦＭ受信機能を具有する設備２のチャンネルと本考案のFMトランスミッタ１２が選択したチャンネルとが等しくなる。該サウンドシグナルプレーヤ１０を起動させることにより、該プロセッサユニット１１が該ストレージユニット１６のデータであるサウンドシグナルをキャッチするようにし、該サウンドシグナルであるデータは該デコーディングユニット１７によって解読処理が行われ、デジタルのシグナルに変わり、最後に該アナログデジタルトランスフォーマ１８によって該デコーディングユニット１７が処理したデジタルシグナルをサウンドシグナルに変えてアウトプットする。このとき該ＦＭ受信機能を具有する設備２のチャンネルは、本考案のFMトランスミッタ１２が選択したチャンネルと等しいため、該ＦＭ受信機能を具有する設備２は該サウンドシグナルプレーヤ１０内のサウンドシグナルを放送する、即ち再生機能を具有するサウンドシグナルプレーヤが完成する。
【図面の簡単な説明】
【０００９】
【図１】本考案におけるブロックチャートである。
【図２】本考案における立体外観説明図である。
【図３】本考案の使用状態を示す図である。
【符号の説明】
【００１０】
１０  サウンドシグナルプレーヤ
１１  プロセッサユニット
１２  FMトランスミッタ
１３  USBインターフェイス
１４  コントロールユニット
１４１  ボタン
１５  ディスプレイユニット
１６  ストレージユニット
１６１  バッファ
１７  デコーディングユニット
１８  アナログデジタルトランスフォーマ
２  ＦＭ受信機能を具有する設備
【図１】
0003102771.tif 000003
【図２】
0003102771.tif 000004
【図３】
0003102771.tif 000005